(57)【要約】      （修正有）【課題】鍔部付き帽子（キャスケット）と、鍔部無し帽子（ベレー帽）とに変更可能な帽子を提供すること。【解決手段】鍔部１１の基端部側に上方に突出した起立片１３を備え、同起立片１３の鍔部１１側に係止部材の一方を配設し、帽子本体を構成するクラウン部１２の内周縁部に係止部材の他方を配設する。これにより、クラウン部１２に鍔部１１が着脱自在に構成する。【選択図】図４
0003173032.tif 000002
【実用新案登録請求の範囲】
【請求項１】
鍔部の基端部側に上方に突出した起立片を備え、
同起立片の前記鍔部側に係止部材の一方を配設し、
帽子本体を構成するクラウン部の内周縁部に前記係止部材の他方を配設したことを特徴とする帽子。
【請求項２】
前記係止部材は面ファスナーであり、
前記起立片側に面ファスナーのフック面を配設し、クラウン部側に面ファスナーのループ面を配設したことを特徴とする請求項１に記載の帽子。
【請求項３】
前記クラウン部はベレー帽の本体を構成し、これに前記鍔部を係止することでキャスケットを構成することを特徴とする請求項１又は請求項２に記載の帽子。
【考案の詳細な説明】
【技術分野】
【０００１】
本考案は、鍔部有り帽子（キャスケット）と、鍔部無し帽子（ベレー帽）とに変更可能な帽子に関するものである。
【０００２】
従来、キャスケット型の帽子は、頭を直接囲んで覆う部分であるクラウン部と、太陽光線遮断のためのクラウン前部に取り付けたブリム部とより構成されている（たとえば、特許文献１に記載の帽子参照）。
【０００３】
また、上記キャスケットとは別にベレー帽が存在する。ベレー帽は、丸くて平らな、鍔や縁のない帽子である。
【先行技術文献】
【特許文献】
【０００４】
【特許文献１】特開２０１０−１４４２６８公報
【考案の概要】
【考案が解決しようとする課題】
【０００５】
前記のように、キャスケットは鍔が縫着した形で製造及び販売されており、キャスケットとしてのみ使用されていた。キャスケット型の帽子でなく、ベレー帽を被りたい場合には、キャスケットとは別のベレー帽を準備する必要があり、これら２つを使い分けする方法しかなかった。
【０００６】
そこで、本願考案人は、鍔の部分を着脱自在とすることで、鍔部有り帽子と、鍔部無し帽子とに簡易的に変更可能な帽子を知見し、本願考案を完成させた。
【０００７】
本願考案は、前記問題を解消するためになされたもので、鍔部有り帽子（キャスケット）と、鍔部無し帽子（ベレー帽）とに変更可能な帽子を提供する。
【課題を解決するための手段】
【０００８】
請求項１に係る本考案は、鍔部の基端部側に上方に突出した起立片を備え、同起立片の前記鍔部側に係止部材の一方を配設し、帽子本体を構成するクラウン部の内周縁部に前記係止部材の他方を配設したことを特徴とする帽子を提供することとした。
【０００９】
また、請求項２に係る本考案は、前記係止部材は面ファスナーであり、前記起立片側に面ファスナーのフック面を配設し、クラウン部側に面ファスナーのループ面を配設したことを特徴とする請求項１に記載の帽子である。
【００１０】
また、請求項３に係る本考案は、前記クラウン部はベレー帽の本体を構成し、これに前記鍔部を係止することでキャスケットを構成することを特徴とする請求項１又は請求項２に記載の帽子である。
【考案の効果】
【００１１】
本考案によれば、以下に記載するような効果が生起される。
【００１２】
すなわち、請求項１に係る本考案では、鍔部の基端部側に上方に突出した起立片を備え、同起立片の前記鍔部側に係止部材の一方を配設し、帽子本体を構成するクラウン部の内周縁部に前記係止部材の他方を配設しているので、クラウン部に鍔部を着脱自在とすることができ、これにより、一つの帽子本体を使用して鍔部有り帽子と鍔部無し帽子とに容易に変更することができる。
【００１３】
また、鍔部の係止部材として面ファスナーを使用するので、面ファスナーを鍔部の基端側起立片に縫着して取り付けることができる。また、面ファスナーの交換も容易である。
【００１４】
そして、時間、天候、季節や場所に応じて、鍔部有り帽子又は鍔部無し帽子に容易に変更することができる効果を有する。また、鍔部有り帽子では、鍔部により紫外線をカットする効果を有する。さらに、クラウン部は畳んで小さくすることができ、バック等に入れて携帯が楽である。
【図面の簡単な説明】
【００１５】
【図１】本実施形態に係る帽子の全体構造を示す斜視図である。
【図２】本実施形態に係る帽子の全体構造を示す正面図である。
【図３】本実施形態に係る帽子の内側部分の構造を示す斜視図である。
【図４】本実施形態に係る帽子の鍔部が本体と分離した状態を示す説明図である。
【図５】本実施形態に係る帽子の鍔部を本体に取り付ける取付方法を示す説明図である。
【図６】キャスケットを装着した状態を示す説明図である。
【図７】ベレー帽を装着した状態を示す説明図である。
【考案を実施するための最良の形態】
【００１６】
以下、本考案の帽子１０の一実施形態について、図面を参照して具体的に説明する。
【００１７】
図１は、本実施形態に係る帽子の全体構造を示す斜視図であり、図２は、本実施形態に係る帽子の全体構造を示す正面図であり、図３は、本実施形態に係る帽子の内側部分の構造を示す斜視図であり、図４は、本実施形態に係る帽子の鍔部が本体と分離した状態を示す説明図であり、図５は、本実施形態に係る帽子の鍔部を本体に取り付ける取付方法を示す説明図である。
【００１８】
本実施形態に係る帽子１０は、主として、帽子本体を構成するクラウン部１２とそのクラウン部１２に着脱自在に設けられた鍔部１１とを備える。
【００１９】
すなわち、図１〜図５に示すように、本実施形態に係る帽子１０は、鍔部１１の基端部側に上方に突出した起立片１３を備え、同起立片１３の前記鍔部１１側に係止部材の一方を配設し、帽子本体を構成するクラウン部１２の内周縁部に前記係止部材の他方を配設している。
【００２０】
図１及び図２に示すように、クラウン部１２は、例えば、その表側１２ａを６枚接ぎでドーム状に構成している。図３に示すように、そのドーム状のクラウン部１２の裏側１２ｂは例えば６枚接ぎで構成している。なお、クラウン部１２は、上記のように６枚接ぎの他、その接ぎ数に限定されず、３枚接ぎ、５枚接ぎ、８枚接ぎ等で構成してもよい。なお、図１〜３中、１６はクラウン部１２の内周縁部から上方に中途部まで延伸して形成されたダーツを示す。
【００２１】
帽子本体を構成する生地は特に限定されない。本実施形態ではキャスケット及びベレー帽を構成する場合、表面の生地としてツイードを使用し、裏面の生地としてスレーキを使用している。
【００２２】
鍔部１１は、鍔部本体とその鍔部本体の基端部側に上方に突出した起立片１３を設けている。鍔部本体は、前記クラウン部本体と同じ生地で形成している。
【００２３】
本実施形態における帽子１０は、鍔部１１がクラウン部１２から着脱自在としている。これにより、例えば、キャスケットからベレー帽に変更、又はこの逆に変更することができる。
【００２４】
本実施形態では、鍔部１１の基端部の取付片の鍔部１１側面に面ファスナーのフック面１４を配設し、帽子本体の内周縁部の一部に面ファスナーのループ面１５を配設している。なお、面ファスナーのループ面１５は、内周縁部の全部にも配設することができる。これにより、クラウン部１２のどの位置においても鍔部１１を取り付けが可能である。
【００２５】
このように、鍔部１１の係止部材として面ファスナーを使用するので、面ファスナーを鍔部１１の基端側起立片１３に縫着することができる。また、面ファスナーの取付面が劣化しても面ファスナーの交換も容易である。
【００２６】
これにより、図５に示すように、鍔部１１の基端部を、帽子本体の周縁側内側面に位置させて、これらを面ファスナーで係止するようにしているので、容易に鍔部有り帽子１０に変更することができると共に、鍔部１１を容易に取り外すことができる効果を有する。
【００２７】
前記起立片１３は鍔部１１の基端部より上方に突出しており、この起立片１３はクラウン部１２に取り付けるための重要な部材である。鍔部１１をクラウン部１２に取り付けた状態では、この起立片１３は見えないようにしている。
【００２８】
図６はキャスケットを装着した状態を示す説明図であり、図７はベレー帽を装着した状態を示す説明図である。図６に示すように、帽子本体に鍔部１１を装着することでキャスケットとして使用することができる。また、図７に示すように、帽子本体から鍔部１１を取外して帽子本体のみを被ることでベレー帽として使用することができる。
【００２９】
まず、キャスケットからベレー帽に変更する場合には、一方の手でクラウン部１２を把持しながら、他方の手で鍔部１１を把持して引っ張ることで、鍔部１１とクラウン部１２とが分離する。そして、分離したクラウン部１２を装着することで、例えば、ベレー帽として使用することができる。
【００３０】
次に、図５に示すように、ベレー帽からキャスケットに変更する場合には、鍔部１１の起立片１３側に設けた面ファスナーのフック面１４とクラウン部１２側に設けた面ファスナーにループ面１５とを対向させた状態で、起立片１３の裏面側を指で押え付けることで、鍔部１１がクラウン部１２に係止する。これにより、キャスケット型の帽子１０として使用することができる。
【００３１】
以上の結果、クラウン部１２に鍔部１１を着脱自在に構成することができ、鍔部有り帽子１０と鍔部無し帽子１０とに容易に変更することができる。なお、本実施形態における帽子１０は男女問わず装着できるものである。また、鍔部有り帽子では、鍔部１１により紫外線をカットする効果を有する。さらに、ベレー帽となるクラウン部１２は畳んで小さくすることができ、バック等に入れるなどして携帯が楽である。隔てる
【符号の説明】
【００３２】
１０  帽子
１１  鍔部
１２  クラウン部
１３  起立片
１４  フック面
１５  ループ面
【図１】
0003173032.tif 000003
【図２】
0003173032.tif 000004
【図３】
0003173032.tif 000005
【図４】
0003173032.tif 000006
【図５】
0003173032.tif 000007
【図６】
0003173032.tif 000008
【図７】
0003173032.tif 000009